(57)【特許請求の範囲】
【請求項１】
竿本体の外周面に外付け釣り糸ガイド又はリールシート等の釣竿装着具を取付けている釣り竿用の竿体であって、前記竿本体の外周面における前記釣竿装着具を装着している以外の非装着領域に複数個の突条を形成し、複数個の前記突条が前記竿本体に対する径方向視において前記竿本体の竿軸線に対して傾斜する状態で、かつ、周方向において隣り合う状態にある突条同士がハの字状に配置してあり、前記突条と前記外周面とを覆う撥水・撥油層を形成してある釣り竿用の竿体。
【請求項２】
複数個の前記突条を互いに平行で、かつ、前記竿本体に対する径方向視において前記竿本体の竿軸線に対して傾斜する状態に配設されている請求項１記載の釣り竿用の竿体。
【請求項３】
前記平行に配設されている前記突条の間隔を、前記突条の幅に比べて大きくしてある請求項２記載の釣り竿用の竿体。
【請求項４】
八の字状に配置してある複数個の前記突条における竿軸線に対して傾斜する方向が、前記竿軸線に近接する程竿先側を位置するように配置されている請求項１〜３のうちのいずれか一つに記載の釣り竿用の竿体。
【請求項５】
前記ハの字状に配置した突条の先端部同士の間に形成された間隙部分を、前記複数の外付け釣り糸ガイドにおける釣り糸挿通孔を結ぶ仮想線から外れた位置に形成してある請求項４記載の釣り竿用の竿体。
【発明の詳細な説明】
【技術分野】
【０００１】
本発明は、釣り糸が絡み付き難い表面構造を有する釣り竿用の竿体に関する。
【背景技術】
【０００２】
竿本体の外周面におけるリールシートと釣り糸用ガイドとを装着する部位の間に、環状又は螺旋状の凹部を形成し、その凹部の表面に撥水性樹脂粉を埋設する釣り竿用の竿体があった（特許文献１）。
【０００３】
竿本体の外周面に微細な凹凸を形成し、凸部の先端に撥水性を付与する処理を施している釣り竿用の竿体があった（特許文献２）。
【先行技術文献】
【特許文献】
【０００４】
【特許文献１】特開平９−１５４４４０号公報（段落番号〔０００９〕〜〔００１２〕、図１〜図４）
【特許文献２】特開平５−２８４８８４号公報（段落番号〔０００９〕〜〔００１１〕、図２）
【発明の概要】
【発明が解決しようとする課題】
【０００５】
特許文献１に記載の技術においては、凹部においても撥水層を形成して釣り糸が付着することを阻止することを目的としているが、釣り糸が凹部内に落ち込んだ場合において、釣り糸にコマセ等の残渣物が付着していると、凹部内に釣り糸や残渣物が落ち込んだ状態になり、竿本体に釣り糸が絡みつく状態が回避できない虞があった。
特許文献２に記載の技術においては、凹凸部が微細でかつ密接する状態に形成されているので、密接する凸部の間にコマセ等の残渣物が落ち込んだ場合において、それを取り除く作業に難儀することがあるとともに、残渣物に釣り糸が絡み付き易く、絡み付くと外れ難いところから改善の余地があった。
【０００６】
本発明の目的は、釣り糸の絡み付きを抑制しながらコマセ等の残渣物の付着をも抑制して、付着した場合にも取り除き易い釣り竿用の竿体を提供する点にある。
【課題を解決するための手段】
【０００７】
〔構成〕
請求項１に係る発明の特徴構成は、竿本体の外周面に外付け釣り糸ガイド又はリールシート等の釣竿装着具を取付けている釣り竿用の竿体であって、前記竿本体の外周面における前記釣竿装着具を装着している以外の非装着領域に複数個の突条を形成し、複数個の前記突条が前記竿本体に対する径方向視において前記竿本体の竿軸線に対して傾斜する状態で、かつ、周方向において隣り合う状態にある突条同士がハの字状に配置してあり、前記突条と前記外周面とを覆う撥水・撥油層を形成してある点にあり、その作用効果は次の通りである。
【０００８】
〔作用効果〕
つまり、釣り糸が隣接する突条同士に亘って掛け渡される状態となっても、突条によって、釣り糸が突条の近傍で竿本体の外周面より持ち上げられるので、竿本体の外周面に接触する機会を少なくでき、釣り糸の絡み付きを抑制できる。
しかも、突条は竿本体の外周面から突出する状態にあるので、コマセ等が付着しても直ぐに拭いとることが、特許文献１に記載の凹部や特許文献２に記載の密接凹凸部に比べて容易に行える。その上に、竿本体の外周面と突条を覆う撥水・撥油層を設けてあるので、釣り糸の絡み付きやコマセ等の残渣物の付着が元々抑制されているので、釣り糸の絡み付きが少なくコマセ等の残渣物の付着も抑制され、付着しても拭い取り易い釣り竿用竿体を提供することができた。
しかも、周方向において隣り合う状態にある突条同士がハの字状に配置してあるので、釣り糸が竿軸線に沿った方向だけでなく、風に吹かれて竿軸線に対して傾斜した場合、或いは、周方向に沿った姿勢になった場合にも、ハの字状に配置された二つの突条で受け止めることができ、釣り糸を竿本体の外周面から浮かせて支持する機能が高い。
【０００９】
〔構成〕
請求項２に係る発明の特徴構成は、複数個の前記突条を互いに平行で、かつ、前記竿本体に対する径方向視において前記竿本体の竿軸線に対して傾斜する状態に配設されている点にあり、その作用効果は次の通りである。
【００１０】
〔作用効果〕
複数個の突条が前記竿本体の竿軸線に対して傾斜する状態に配設されているので、竿軸線に沿った状態で突条に接触する釣り糸を突条自体の幅よりも広い幅で支持することができ、突条の外周面に設けてある撥水・撥油層の支持面圧を小さく抑えることができ、撥水・撥油層の磨耗損傷等を抑制できる。
【００１１】
〔構成〕
請求項３に係る発明の特徴構成は、前記平行に配設されている前記突条の間隔を、前記突条の幅に比べて大きくしてある点にあり、その作用効果は次の通りである。
【００１２】
〔作用効果〕
平行に配設されている突条の間隔が、突条の幅に比べて大きくしてあるので、隣同士の突条に亘ってコマセ等の残渣物が架橋することは少なく、残渣物が大きな塊化することは少ない。したがって、残渣物の払拭作業も容易に行え、かつ、その払拭作業機会も少なくできる。
【００１３】
〔構成〕
請求項４に係る発明の特徴構成は、八の字状に配置してある複数個の前記突条における竿軸線に対して傾斜する方向が、前記竿軸線に近接する程竿先側を位置するように配置されている点にあり、その作用効果は次の通りである。
【００１４】
〔作用効果〕
【００１５】
〔構成〕
請求項５に係る発明の特徴構成は、前記ハの字状に配置した突条の先端部同士の間に形成された間隙部分を、前記複数の外付け釣り糸ガイドにおける釣り糸挿通孔を結ぶ仮想線から外れた位置に形成してある点にあり、その作用効果は次の通りである。
【００１６】
〔作用効果〕
つまり、釣り糸挿通孔を結ぶ仮想線上に前記間隙部分が位置することはないので、釣り糸挿通孔を結ぶ仮想線に沿った状態で位置する釣り糸が間隙部分に落ち込むことが少なく、釣り糸が竿本体の外周面に溜まった水玉等と接触する機会を少なくできる。
【図面の簡単な説明】
【００１７】
【図１】釣り竿の全体側面図である。
【図２】（ａ）マンドレルに対して、内側メインパターン、中間メインパターン、外側メインパターンを巻回する前の状態を示す斜視図、（ｂ）焼成後の竿素材に突条を形成した状態を示す斜視図、（ｃ）突条を施した竿素材を示す展開図、（ｄ）突条の幅と突条同士の間に形成している谷部分の幅を示す説明図である。
【図３】竿素材に、下塗り層と、突条と、撥水・撥油層を形成している状態を示す縦断側面図である。
【図４】（ａ）周方向に二個の突条を配置したものを示す側面図、（ｂ）周方向に単一の突条を配置したものを示す側面図である。
【図５】（ａ）釣り糸用ガイドの釣り糸挿通孔と突条同士の間隙部分との位置関係を示す正面図、（ｂ）釣り糸用ガイドの釣り糸挿通孔と突条同士の間隙部分との位置関係を示す側面図である。
【図６】突条として螺旋状のものを形成した状態を示す斜視図である。
【発明を実施するための形態】
【００１８】
〔第１実施形態〕
磯竿、船竿等の釣り竿について説明する。図１に示すように、釣り竿Ａは、釣り竿用竿体としての一番竿１、二番竿２、三番竿３、元上４、スピニングリールＲを取付けた元竿５を備えて構成してある。各釣り竿用竿体１，２，３，４は、竿本体1Ｂ，２Ｂ，３Ｂ，４Ｂの竿先端に、リールＲから繰り出された釣り糸ａを案内する外付け釣り糸用ガイド1Ａ，２Ａ，３Ａ，４Ａが取付けてある。
【００１９】
次に、各釣り竿用竿体の製造方法について説明する。図２（ａ）に示すように、プリプレグシートを巻回する金属製のマンドレル６を設ける。マンドレル６は、先細り状の緩円錐棒体であり、表面にクロムメッキが施されている。緩円錐棒体の先端細径部から後端大径部までの表面傾斜度は、軸線Ｙに対して４／１０００ｍｍに設定されている。
【００２０】
次に、図２（ａ）に示すように、釣り竿用竿体１等を形成するメインパターン７を用意し、図示してはいないが、そのメインパターン７を巻回する。メインパターン７の構成としては、内側メインパターン７Ａ、中間メインパターン７Ｂ、外側メインパターン７Ｃの３枚を重ねて、各釣り竿用竿体の竿本体１Ｂ等を形成する。
メインパターンとして使用されるプリプレグシートは、炭素繊維、ガラス繊維等の強化繊維を一方向に引き揃えたものに、エポキシ等の熱硬化性樹脂又はＰＥＴ等の熱可塑性樹脂を含浸させて、プリプレグシートを構成する。その他、バルクモールド法、シートモールド法を利用して、プリプレグシートを構成してもよい。このプリプレグシートを所定の台形形状に裁断して、メインパターンを形成する。
【００２１】
図示していないが、３枚の内側メインパターン７Ａ，中間メインパターン７Ｂ，外側メインパターン７Ｃを順次、又は、重ね合わせた状態で、補強パターン（メインパターンより長さの短いプリプレグシート）とともにマンドレル６に巻き付けて竿素材８を形成する。竿素材８におけるメインパターン７の上から成形テープを巻回して巻き締め、マンドレル６と一体で竿素材８を焼成する。焼成後は竿素材８からマンドレル６を取外し、成形テープを剥離し、所定長さに裁断して、表面研磨加工を施し、塗装工程を経て竿本体１Ｂ等を製造する。
【００２２】
ここに、前記した表面加工後に、竿素材８の表面に突条１０を形成する構成について説明する。図３に示すように、竿素材８の表面に下塗り塗装層９を設ける。下塗り塗装層９に使用される塗料としては、ウレタン樹脂塗料等を使用し、スプレー塗装等の通常の塗装手段で塗装する。
【００２３】
下塗り塗装層９の表面に、突条１０を設ける。突条１０は、ドッドスクリーン印刷製法を用いて形成され、この突条１０の厚さ（下塗り塗装層９の表面からの突出量）は、下塗り塗装層９の厚さより厚く、１０〜５０ミクロン位の厚さを呈する。
突条１０の形態は、図２（ｂ）に示すように、複数個の突条１０が互いに平行で、かつ、釣り竿用竿体１等に対する径方向視において竿体の竿軸線Ｘに対して傾斜する状態に配設されている。つまり、図面上、上方に位置する突条列は、複数個の突条１０が互いに平行で、かつ、同一方向に傾斜する状態に設けてある。図面上、下方に位置する突条列は、複数個の突条１０が互いに平行で、かつ、同一方向に傾斜する状態に設けてあり、上方列の突条１０に対して竿軸線Ｘを挟んで対象に配置してある。
【００２４】
上記した配置構成によって、周方向で隣接する突条１０は、竿軸線Ｘを挟んで対象に配置してあり、竿先側に位置する先端同士が近接するハの字状に形成してある。
このような構成によって、請求項４に係る発明に対する作用効果を奏することに加えて、次ぎのような効果も言える。つまり、竿先側に向けて傾斜するハの字状に配置してあるので、釣り竿用竿体１等を振って仕掛けを投入する場合に、釣り竿用竿体１等の表面に付着した水分が竿先側に移動しようとするのを、竿軸線Ｘに対して傾斜する突条１０が案内し、互いにハの字状に配置されている両突条１０の竿先端同士の間に形成されている間隙部分ｃから排出することが容易なものとなる。
【００２５】
突条１０の外周面を含む下塗り塗装層９の表面に亘って撥水・撥油層１１を形成する。撥水・撥油層１１に使用される塗料としては、フッ素樹脂塗料、及び、シリコン（アクリルシリコン）樹脂塗料などが挙げられ、これらの樹脂塗料を吹き付け、シゴキ等の塗装方法によって施すことができる。
このような構成によって、突条１０で釣り糸ａを持ち上げ、釣り糸ａが隣り合う突条１０同士の間の谷部分（竿体の外周面自体）ｂで溜まった水分との接触する機会を抑制している。また、突条１０の外周面には撥水・撥油層１１が設けてあるので、その外周面に水が溜まることが少なく、釣り糸ａが突条１０の外周面に付着することは抑制される。
【００２６】
また、前記谷部分ｂにおいても下塗り塗装層９の表面に撥水・撥油層１１が形成されているので、水分をはじき易く、谷部分ｂにおいても水が溜まることが少なく、水と釣り糸ａが接触することを抑制できる。
図２（ｄ）に示すように、竿先側の突条１０と竿尻側の突条１０とで挟まれる前記した谷部分ｂの幅Ｗが突条１０の幅ｗに比べて大きく採ってあるので、竿先側の突条１０と竿尻側の突条１０とが比較的離間した状態にあり、コマセ等の残渣物が竿先側の突条１０と竿尻側の突条１０とに亘って架橋し付着することを抑制できる。特に、この谷部分ｂに撥水・撥油層を設けた場合には、一層、コマセ等の残渣物の付着を抑制できる。
【００２７】
図２（ｂ）においては、上下ニ列の突条列をハの字状に配列したものについて説明したが、これは釣り竿用竿体１等を一側方（表側）から径方向に沿って見た状態を示しており、釣り竿用竿体１等における竿軸線Ｘを挟んで反対側の背面側においても、同様に、上下ニ列の突条列をハの字状に配列したものが施されている。
したがって、この構成のものは、釣り竿用竿体１等を展開すると図２（ｃ）で示すように、周方向に沿って４個の突条１０が形成されている。
このように、周方向に４個の突条１０を配置した構成のものは、三番竿３、元上４、元竿５等の大径竿体に設けることができる。
【００２８】
〔第２実施形態〕
第１実施形態では、周方向で９０度の範囲に一つの突条１０を配置して、全周で４個の突条１０を配置する構成を採ったが、図４（ａ）に示すように、１８０度の範囲に一つの突条１０を配置し、全周で２つの突条１０を配置する構成を採る。突条１０の向きは、径方向視において、竿軸線Ｘに対して傾斜する状態にある。
この場合には、突条１０同士の間隙部分ｃを周方向に４個配置されている場合に比べて少なくできるので、その短い間隙部分ｃに亘ってコマセが架橋するのを抑制でき、コマセ等を取り除く作業も容易になる。
【００２９】
図４（ａ）に示す突条１０を元上４に設けて、この元上４の突条１０と釣り糸用ガイド４Ａとの位置関係について説明する。図５（ａ）,（ｂ）に示すように、二つの突条１０を元上４の外周面に間隙部分ｃを介在させた状態で上下に配置構成する。
二つの突条１０は径方向視でハの字状に配置されており、突条１０の先端部同士の間に形成された間隙部分ｃを、釣り糸用ガイド４Ａとは９０度位相の異なる左右に配置する構成が採られている。これによって、間隙部分ｃが複数の外付け釣り糸ガイド４Ａ等における釣り糸挿通孔４ａを結ぶ仮想線Ｚから外れた位置に形成してあることとなる。そうすると、請求項５に係る発明に対応して記載した作用効果を奏する。
【００３０】
また、図４（ａ）で周方向に二つの突条１０を配置する構成を示したが、図４（ｂ）に示すように、二つの突条１０の隣り合う一端同士を連結して、突条１０を単一のものとして構成してもよい。
このように、周方向に２個の突条１０または１個の突条１０を配置した構成のものは、一番竿１、二番竿２等の小径竿体に設けることができる。
【００３１】
〔別実施形態〕
（１） 前記実施形態において、突条１０を周方向に沿って４個配置するものと、２個配置するものについて記載したが、周方向に配置する突条１０の個数に制限はない。また、釣り竿用竿体１等ごとに突条１０の形成個数を異なるものに設定してもよく、或いは、各釣り竿用竿体１等に突条１０の形成個数を同一に設定してもよい。
【００３２】
（２） 元竿４に取り付けるリールＲとしては、スピニングリールだけでなく、両軸受リール、片軸受リールであってもよい。
【００３３】
（３） 突条１０を形成する製造方法としては、ドッドスクリーン印刷法を採用したが、転写印刷法を使用して突条１０を形成してもよい。つまり、転写紙に突条形成用の二液反応型エポキシ樹脂からなる印刷インキと接着剤とを重ねて取付け、これらの印刷インキと接着剤とを竿本体１Ｂ等に転写することによって、又は、ハの字状の孔のあいたマスキングテープを貼り付け、吹き付け塗装、シゴキ塗装によって、突条１０を形成することができる。
【００３４】
本発明の構成は、磯竿、船竿だけではなく、外付け釣り糸ガイド１Ａ等を備えているものであれば、他の竿にも適用できる。
【符号の説明】
【００３５】
１ 一番竿（釣り竿用竿体）
１Ａ 釣り糸用ガイド
１Ｂ 竿本体
２ 二番竿（釣り竿用竿体）
２Ａ 釣り糸用ガイド
２Ｂ 竿本体
３ 三番竿（釣り竿用竿体）
３Ａ 釣り糸用ガイド
３Ｂ 竿本体
４ 元上（釣り竿用竿体）
４Ａ 釣り糸用ガイド
４Ｂ 竿本体
５ 元竿（釣り竿用竿体）
１０ 突条
１１ 撥水・撥油層
Ａ 釣り竿
ａ 釣り糸
ｃ 間隙部分
Ｘ 竿軸線
【図１】
0005517528.tif 000002
【図２】
0005517528.tif 000003
【図３】
0005517528.tif 000004
【図４】
0005517528.tif 000005
【図５】
0005517528.tif 000006
【図６】
0005517528.tif 000007